Podtech/llm-jp-corpus-v4-ja_patent huggingface dataset:
(57)【要約】　　　（修正有）【課題】従来技術のランプホルダーを固定する為の専用孔・専用ねじを廃止することによる反射板加工数の低減・部品点数の低減を図る。【解決手段】高所に配置する器具本体１０を備える。一対のランプソケット２０の中間位置に直管形蛍光ランプ３０の途中箇所を弾発的に挟持する補助ランプホルダ５０を配置する。前記補助ランプホルダ５０は中央部５４とその両側に延在する一対の挟持脚片を含む帯状部材である。前記補助ランプホルダ５０の前記中央部を介しかつ前記反射板４０を介して前記器具本体１０へねじ込まれる化粧ねじ６０を備える。【選択図】　　図１
2004127881.tif 000002
【特許請求の範囲】
【請求項１】
高所に配置する器具本体１０を備え、前記器具本体１０の両端下面側に相対向する一対のランプソケット２０を設け、前記器具本体１０の下面に沿って配置され一対の前記ランプソケット２０で着脱自在に保持される直管形蛍光ランプ３０を備え、前記直管形蛍光ランプ３０は管外径が２５．０〜２６．０ｍｍであり長さが２３００〜２４００ｍｍであり、定格消費電力が１１０ワットのランプであり、前記器具本体１０・前記直管形蛍光ランプ３０間に配置される反射板４０を備え、一対の前記ランプソケット２０の中間位置に前記直管形蛍光ランプ３０の途中箇所を弾発的に挟持する補助ランプホルダ５０を配置し、前記補助ランプホルダ５０は中央部５４とその両側に延在する一対の挟持脚片５２・５６を含む帯状部材であり、前記補助ランプホルダ５０の前記中央部５４を介しかつ前記反射板４０を介して前記器具本体１０へねじ込まれる化粧ねじ６０を備え、前記化粧ねじ６０の回転操作用のねじ頭部６２の直径Ｄを前記各挟持脚片５２・５６の基部の帯幅Ｗよりも大きく定め、該頭部６２が該基部の両側にはみ出して見える構造にしたことを特徴とする蛍光灯器具。
【発明の詳細な説明】
【０００１】
【発明の属する技術分野】
１１ＯＷ形蛍光灯器具の蛍光ランプの振動防止用ランプホルダーに関する。
【０００２】
【従来の技術】
従来技術のランプホルダー５０の固定方法は、図５・図６に示すよう反射板に反射板固定用の孔４２・ランプホルダー固定用の孔４４を形成し、前記固定孔４４を介しランプホルダー５０固定用のメートル並目ねじ８０にて反射板への固定をしていた。
【０００３】
【発明が解決しようとする課題】
本発明の目的は、従来技術のランプホルダー５０固定する為の専用孔・専用ねじを廃止することによる反射板加工数の低減・部品点数の低減をすることにある。
【０００４】
【課題を解決するための手段】
器具本体１０への反射板４０の固定方法は従来技術と同様に、反射板４０に形成された反射板固定用の孔４２を介し化粧ねじ６０を器具本体１０にねじ込み固定する方法であり、前記反射板４０と化粧ねじ６０の間にランプホルダー５０配置し、反射板４０と補助ランプホルダー５０を化粧ねじ６０により共締めすることにより上記問題点を解決すると共に組立て作業の簡素化を図る。
【０００５】
【発明の実施の形態】
図１・図２・図３・図４に示すよう高所に配置する器具本体１０を備え、器具本体１０の長手方向端部にはソケット２０取付用及び、反射板取付用のソケット台１２・長手方向の中央部には反射板取付用の反射板台１４を具備し、前記ソケット台１２の両端下面側に相対向する一対のランプソケット２０を設け、前記ランプソケット２０により着脱自在に保持される直管形蛍光ランプ３０を備え、前記器具本体１０と前記直管形蛍光ランプ３０間に配置された前記器具本体１０へねじ込まれる化粧ねじ６０により固定される反射板４０、前記直管形蛍光ランプ３０は管外径が２５．０〜２６．０ｍｍと細く、長さが２３００〜２４００ｍｍと長尺な定格消費電力が１１０ワットのランプである為、前記ランプソケット２０のみによる管外径が細く長尺な蛍光ランプ３０の保持では、蛍光ランプ３０の振動がは起こる為、一対の前記ランプソケット２０の中間位置に前記直管形蛍光ランプ３０の途中箇所を弾発的に挟持する前記反射板４０を介して前記器具本体１０へねじ込まれる化粧ねじ６０により固定する補助ランプホルダ５０で構成されている。
【０００６】
前記補助ランプホルダ５０は中央部５４とその両側に’延在する一対の挟持脚片５２・５６を含む帯状部材により形成されており、中央部５４にはを前記反射板４０を介して前記器具本体１０へねじ込まれる化粧ねじ６０の貫通孔を形成している。前記化粧ねじ６０の回転操作用のねじ頭部６２の直径Ｄは前記各挟持脚片５２・５６の基部の帯幅Ｗよりも大きく該頭部６２が該基部の両側にはみ出すことにより、器具本体１０へねじ込み時における前記化粧ねじ６０の回転動作を容易にする。
また、補助ランプホルダ５０の化粧ねじ頭部６２の直径Ｄより狭い保持部５８・５９を形成することにより、器具本体１０へねじ込み動作前の前記化粧ねじ頭部６２の弾性的通過を許容することにより化粧ねじ６０のランプホルダー５０への仮止めが可能となり、器具本体１０へねじ込み動作を容易にする。
【０００７】
【発明の効果】
本発明によれば、反射板加工数の低減・部品点数の低減が図れると共に、補助ランプホルダーを固定する為の専用孔を形成せずに補助ランプホルダーの反射板への固定が可能となり、ランプホルダーを必要としない管外径が太く振動しない蛍光ランプを使用する場合の反射板との部品の共用化が図れる。
【図面の簡単な説明】
【図１】本発明器具の断面図である。
【図２】その斜視図である。
【図３】その部分断面図である。
【図４】その斜視断面図である。
【図５】従来器具の断面図である。
【図６】その斜視図である。
【符号の説明】
１０：器具本体
１２：器具本体１０に具備されたソケット台
１４：器具本体１０に具備された反射板台
２０：ソケット
３０：蛍光ランプ
４０：反射板
４２：反射板に形成された反射板固定孔
４４：反射仮に形成されたランプホルダー固定孔
５０：ランプホルダー
５２：補助ランプホルダー狭持脚片
５４：補助ランプホルダー中央部
５６：補助ランプホルダー狭持脚片
５８：補助ランプホルダー保持部
５９：補助ランプホルダー保持部
６０：化粧ねじ
６２：化粧ねじ頭部
８０：ランプホルダー固定用メートル並目ねじ
【図１】
2004127881.tif 000003
【図２】
2004127881.tif 000004
【図３】
2004127881.tif 000005
【図４】
2004127881.tif 000006
【図５】
2004127881.tif 000007
【図６】
2004127881.tif 000008
(57)【要約】　　　（修正有）【課題】揺動中心（突起）・電極部間の距離が長くなり、ばね材のばね代に絡む揺動範囲（回転角範囲）が小さく、揺動がスムーズとなるものを提供する。【解決手段】ソケット本体へ進退自在に装着され蛍光ランプ装着時に前進し除去時に後退する絶縁性の進退受具２０にスリットを形成し、前記スリットに遊挿されかつ揺動自在に装着される金属製の一対の揺動金具３０を備える。前記揺動金具の接触部３１は前記蛍光ランプ側に位置して該ランプの電極端子６１と着脱自在に圧接する。配線部３２は前記スリットを越えた非蛍光ランプ側に位置し、配線部の付け根付近に前記スリットを潜り抜けることのできない突起３３を形成する。前記突起を前記スリットの非蛍光ランプ側入り口に接触させる。前記突起を前記揺動金具の揺動中心とし、前記進退受具２０と前記揺動金具との間に前記揺動に抵抗して前記接触部・電極端子間に圧力を形成するばね材４０を配置する。【選択図】　　図３
2004127893.tif 000002
【特許請求の範囲】
【請求項１】
絶縁性のソケット本体を備え、前記ソケット本体へ進退自在に装着され蛍光ランプ装着時に前進し除去時に後退する絶縁性の進退受具を備え、前記進退受具にスリットを形成し、前記スリットに遊挿されかつ揺動自在に装着される金属製の一対の揺動金具を備え、前記揺動金具は接触部と配線部を含み、前記接触部は前記蛍光ランプ側に位置して該ランプの電極端子と着脱自在に圧接し、前記配線部は前記スリットを越えた非蛍光ランプ側に位置し、前記配線部の付け根付近に前記スリットを潜り抜けることのできない突起を形成し、前記突起を前記スリットの非蛍光ランプ側入り口に接触させ、前記突起を前記揺動金具の揺動中心とし、前記進退受具と前記揺動金具との間に前記揺動に抵抗して前記接触部・電極端子間に圧力を形成するばね材を配置したことを特徴とする蛍光ランプ用ソケット。
【発明の詳細な説明】
【０００１】
【発明の属する技術分野】
本発明は蛍光ランプ用ソケットに関するものである。特に、いわゆるＲ１７Ｄ口金を有する直管蛍光ランプ用ソケットの接点構成に関する。
【０００２】
【従来の技術】
従来のソケットは次のようなものである。すなわち、絶縁性のソケット本体を備え、前記ソケット本体へ進退自在に装着され蛍光ランプ装着時に前進し除去時に後退する絶縁性の進退受具を備え、前記進退受具にスリットを形成し、前記スリットに遊挿されかつ揺動自在に装着される金属製の一対の揺動金具を備え、前記揺動金具は接触部と配線部を含み、前記接触部は前記蛍光ランプ側に位置して該ランプの電極端子と着脱自在に圧接し、前記配線部は前記スリットを越えた非蛍光ランプ側に位置し、前記揺動金具の外方の凹部を進退受具に当てて揺動中心とし、前記進退受具と前記揺動金具との間に前記揺動に抵抗して前記接触部・電極端子間に圧力を形成するばね材を配置した蛍光ランプ用ソケットである。
【０００３】
【発明が解決しようとする課題】
従来技術では、揺動中心・電極部間の距離が短くなり、ばね材のばね代に絡む揺動範囲（回転角範囲）が大きく、揺動に大きな力が必要になることがあったり、該ランプの電極端子を脱する際に圧接力に抗して引き抜く力の作用線から大きく離れた点に揺動中心が合ったため引抜力がばらつく要因となるなど信頼性に配慮が欠ける部分があつた。本発明は以上の難点を解決するものである。
【０００４】
【課題を解決するための手段】
そこで、前記の課題を解決するため揺動金具の配線部の付け根付近に前記スリットを潜り抜けることができず、しかも揺動中心となる突起を形成する。このことにより揺動中心（突起）・電極部間の距離が長くなり、ばね材のばね代に絡む揺動範囲（回転角範囲）が小さく、揺動がスムーズとなり、信頼性が増す。
【０００５】
【発明の実施の形態】
図１〜図３を用いて本発明の実施形態について説明する。本ソケットは絶縁性のソケット本体１０を備え、前記ソケット本体１０へ進退自在に装着され蛍光ランプ６０装着時に前進し除去時に後退する絶縁性の進退受具２０を備え、前記進退受具２０にスリット２１を形成し、前記スリット２１に遊挿されかつ揺動自在に装着される金属製の一対の揺動金具３０を備え、前記揺動金具３０は接触部３Ｌと配線部３２を含み、前記接触部３１は前記蛍光ランプ側に位置して該ランプの電極端子６１と着脱自在に圧接し、前記配線部３は前記スリット２１を越えた非蛍光ランプ側に位置し、前記配線部３１の付け根付近に前記スリット２１を潜り抜けることのできない突起３３を形成し、前記突起３３を前記スリット２１の非蛍光ランプ側入り口２に接触させ、前記突起３３を前記揺動金具３０の揺動中心とし、前記進退受具２０と前記揺動金具３０との間に前記揺動に抵抗して前記接触部３１・電極端子６１間に圧力を形成するばね材４０を配置する。
前記蛍光ランプの口金６２を挿入していくと電極端子６１が揺動金具３０の接触部３１に接触し、電極端子６１間に圧力を形成するばね材４０のばね力に抗して揺動金具３０を回転させながら電極端子６１をスライドさせて適正な位置に装着される。蛍光ランプを引き抜く時は、蛍光ランプの口金６２の電極端子６１を介して揺動金具３０の接触部３１に引抜力を加わる。前記配線部３１の付け根付近に前記スリット２１を潜り抜けることのできない突起３３が前記スリット２１の非蛍光ランプ側入り口２２に接触しているため、前記突起３３が前記揺動金具３０の揺動中心となる。このため揺動中心（突起）３３・電極部６１間の距離が長くなり、ばね材のばね代に絡む揺動範囲（回転角範囲）が小さく、揺動がスムーズとなる。
【０００７】
【発明の効果】
上記構成のランプソケットにより、蛍光ランプを引き抜く時は、蛍光ランプの口金の電極端子を介して揺動金具の接触部に引抜力を加わる。前記配線部の付け根付近に前記スリットを潜り抜けることのできない突起が前記スリットの非蛍光ランプ側入り口に接触しているため、前記突起が前記揺動金具の揺動中心となる。このため揺動中心（突起）・電極部間の距離が長くなり、ばね材のばね代に絡む揺動範囲（回転角範囲）が小さく、揺動がスムーズとなる。
また、該ランプの電極端子を脱する際に圧接力に抗して引き抜く力の作用線に近い点に揺動中心を設けたため引抜力が確実に前記揺動金具につたわるため揺動がスムーズとなるなど信頼性が向上する蛍光ランプ用ソケットを提供できる。
【図面の簡単な説明】
【図１】本発明によるソケットの主要部分の断面図である。。
【図２】その揺動金具装着状態を示した部分断面図である。
【図３】そのソケット全体の外観図である。
【図４】従来のソケットの部分断面図である。
【符号の説明】
１０；ソケット本体
２０；進退受具
２１；揺動金具挿入スリット
２２；揺動金具の突起（揺動中心）受け面
３０；揺動金具
３１；接触面
３２；配線部
３３；突起（揺動中心）
３４　薄まね力作用面
３５；揺動金具凹部（従来技術の揺動中心）
４０　薄まね材
６０；蛍光ランプ
６１；電極端子
【図１】
2004127893.tif 000003
【図２】
2004127893.tif 000004
【図３】
2004127893.tif 000005
【図４】
2004127893.tif 000006
(57)【要約】【課題】ランプソケット６が照明器具本体１に簡単に固定することができ、そのランプソケット６に照明器具反射板４を容易に取り付けが可能である省施工のランプソケットを提供する。【解決手段】１…照明器具本体，２…ソケット台，３…反射板取付台，４…反射板，５…取付ネジ、６…ランプソケット，６Ａ…ランプソケット外郭，６Ｂ…スリット状取付部、Ｃ…係合部，７…点灯装置，８…蛍光ランプランプソケット外郭６Ａにランプソケット６を照明器具本体１に取り付けるためのスリット等の固定手段６Ｂと、照明器具反射板４を取り付けるための係合部Ｃを弾性的に設けることにより、ランプソケット６が照明器具本体１に簡単に固定することができ、さらに照明器具反射板４を容易に取り付けることが可能となる。【選択図】　　図１
2004127894.tif 000002
【特許請求の範囲】
【請求項１】
蛍光ランプ両端の口金を保持、および点灯するための接触片とそれを覆う外郭を備えた蛍光灯ランプソケットにおいて、前記ランプソケット外郭にランプソケットを照明器具本体に取り付けるための固定手段と、前記固定手段の下部位置に照明器具反射板を取り付けるための係合部を弾性的に設けたことを特徴とする蛍光灯ランプソケット。
【発明の詳細な説明】
【０００１】
【発明の属する技術分野】
本発明は蛍光灯照明器具のランプソケットに関する。
【０００２】
【従来の技術】
従来の蛍光灯ランプソケットは図５に示すように、ランプソケット外郭の両側面上部位置にスリットを設け、前記スリットを照明器具本体に取り付けるようにしたものがある。また、図６に示すように、ランプソケット外郭の両側面上部位置に係合部を弾性的に設け、照明器具本体に取り付けるようにしたものがある。
【０００３】
【発明が解決しようとする課題】
前記ランプソケットの取付構造は、いずれも照明器具本体への取り付けのみを考慮したものであり、従来取付ネジやファスナー等で取り付けられていた照明器具反射板の取り付けまでは考慮されていなかつた。
本発明の目的は、ランプソケットが照明器具本体に簡単に固定することができ、そのランプソケットに照明器具反射板を容易に取り付けが可能である省施工のランプソケットを提供することにある。
【０００４】
【課題を解決するための手段】
上記目的を達成するため、ランプソケット外郭にランプソケットを照明器具本体に取り付けるためのスリット等の固定手段と、照明器具反射板を取り付けるための係合部を弾性的に設けることにより、ランプソケットが照明器具本体に簡単に固定することができ、さらに照明器具反射板を容易に取り付けることが可能となる。
【０００５】
【発明の実施の形態】
本発明の実施形態を図１〜図４を用いて説明する。図４は、従来の直付照明器具の構造を示し、点灯装置７を内蔵した器具本体１と器具本体と固定または一体となったソケット台２とソケット台２に固定されたランプソケト６と器具本体戴こ固定された反射板取付台３と反射板取付台３に取付ネジ５で取りけられた反射板４により構成される。
図１および図２は本発明の一実施例を示し、照明器具本体員と固定されたソケット２にランプソケット外郭６　Ａの両側面上部位置に設けたスリット状の取付部６Ｂを差入むことにより、簡単および確実に固定される。また、前記スリット状取付部６Ｂの下立置には照明器具反射板４を取り付けるための係合部６Ｃを弾性的に設けており、照明貝反射板４を押し上げることにより、容易に取り付けが可能となり、施工性の向上を図ことができる。
図３は他の実施例を示し、照明器具反射板を取り付けるための弾性的係合部６Ｃの位をランプソケット前面としたものである。
【０００６】
【発明の効果】
本発明によれば、ランプソケットが照明器具本体に簡単に固定することができると共に、明器具反射板を容易に取り付けることができるため、省施工が図れ、また部品点数の低トよび組立性の向上によりコスト低減を図ることができる。
【図面の簡単な説明】
【図１】本発明器具を示す断面図である。
【図２】その斜視図である。
【図３】本発明の他の実施例に係る斜視図である。
【図４】従来の直付照明器具の構造を示す斜視図である。
【図５】従来のランプソケットの構造を示す斜視図である。
【図６】従来のランプソケットの構造を示す斜視図である。
【符号の説明】
１…照明器具本体，２…ソケット台，３…反射板取付台，４…反射板，５…取付ネジ、ランプソケット，６Ａ…ランプソケット外郭，６Ｂ…スリット状取付部、Ｃ…係合部，７…点灯装置，８…蛍光ランプ
【図１】
2004127894.tif 000003
【図２】
2004127894.tif 000004
【図３】
2004127894.tif 000005
【図４】
2004127894.tif 000006
【図５】
2004127894.tif 000007
【図６】
2004127894.tif 000008
(57)【要約】【課題】適度な大きさの水抜き孔を設けることができ、かつ、光源は蓋体によって塞ぎ、大きな虫の入り込みも防げ、さらに、透光パネルが落下しない器具を提供する。【解決手段】建築物に固定する器具本体１を備える。前記器具本体１の下面に固定される光源４を備える。前記器具本体１および光源４の下面側を覆うように着脱自在に装着される透光カバーを備える。前記透光カバーは周面に複数の透光窓を形成しかつ下面に水抜き孔５を形成するカバー本体６と前記各透光窓を塞ぐように配置される各透光パネル７と前記水抜き孔を若干の隙間を残して塞ぐ蓋体８とを含む。前記各透光パネル７に前記透光窓を越えて前記水抜き孔５付近に至る下側延長部を形成し、前記各下側延長部を前記水抜き孔５の周縁部と前記蓋体８との間に挟持する。【選択図】　　図１
2004127891.tif 000002
【特許請求の範囲】
【請求項１】
建築物に固定する器具本体を備え、前記器具本体の下面に固定される光源を備え、前記器具本体および光源の下面側を覆うように着脱自在に装着される透光カバーを備え、前記透光カバーは周面に複数の透光窓を形成しかつ下面に水抜き孔を形成するカバー本体と前記各透光窓を塞ぐように配置される各透光パネルと前記水抜き孔を若干の隙間を残して塞ぐ蓋体とを含み、
前記各透光パネルに前記透光窓を越えて前記水抜き孔付近に至る下側延長部を形成し、前記各下側延長部を前記水抜き孔の周縁部と前記蓋体との間に挟持したことを特徴とする屋外用照明器具。
【発明の詳細な説明】
【０００１】
【発明の属する技術分野】
本発明は、屋外用照明器具の透光カバーの構造に関する。
【０００２】
【従来の技術】
屋外用照明器具の透光カバーは、雨水が浸入した際に雨水が抜ける様、透光カバー下面に一定の大きさのある水抜き孔が設けられていた。また、透光カバーは、複数の透過窓を持っているカバー本体と前記透過窓を塞ぐように配置される透光パネルから成るが、光源の交換が容易なように器具本体との着脱が自在になっていた。
【０００３】
【発明が解決しようとする課題】
上記従来技術は、透光カバー下面の水抜き孔から光源が直視できるといった意匠的な問題や大きな虫が入り込むといった問題があつた。また、光源の交換など透光カバーを着脱する際に、カバー本体と透光パネルが分離してしまい、透光パネルを落下させるなどといった問題があつた。本発明の目的は、これらの問題を無くすことにある。
【０００４】
【課題を解決するための手段】
屋外用照明器具には不可欠な水抜き孔を形成するに当たり、光源が直視できず、なおかつ、大きな虫の入り込みを防ぐ為、水抜き孔を若干の隙間を残して塞ぐ蓋体を設けることとした。さらに、カバー本体と蓋体との間に透光パネルを狭持させ、カバー本体と透光パネルを一体にすることとした。
【０００５】
【発明の実施の形態】
図１を用いて、本発明の実施形態を説明する。図１に示す本発明に係る器具本体１は、壁面取り付けの構造を成しており、支柱２先端に笠３と光源４を装着している。透光カバーは、周面に複数の透光窓を形成しかつ下面に水抜き孔５を形成するカバー本体６と前記各透光窓を塞ぐように配置される各透光パネル７と前記水抜き孔５を若干の隙間Ａを残して塞ぐ蓋体８とを含み、前記各透光パネル７に前記透光窓を越えて前記水抜き孔５付近に至る下側延長部を形成し、前記各下側延長部を前記水抜き孔５の周縁部と前記蓋体８との間に扶持する構成とし、前記笠３と着脱自在に装着される。
図２に比較のために、従来技術の・透光カバーの構成を示す。カバー本体９は、下面に複数の適度な大きさの水抜き孔１０が設けられており、下方から、光源４が直視できるようになっていた。また、透光パネル１１は、前記カバー本体９に乗せているのみで、透光カバーを着脱すると分離し、落下するということがあった。
【０００６】
【発明の効果】
本発明によれば、以上の構成から、適度な大きさの水抜き孔を設けることができ、なおかつ、光源は、蓋体によって塞ぎ、大きな虫の入り込みも防げる。さらに、透光パネルを狭持している為、落下させるといったことがなくなる。
【図面の簡単な説明】
【図１】本発明の透光カバーの構成を表す断面図である。
【図２】従来技術の透光カバー構成を表す断面図である。
【図３】本発明の透光カバーを採用した屋外用照明器具の斜視図である。
【符号の説明】
１…器具本体、２…支柱、３…笠、４…光源、５…水抜き孔、６…カバー本体、７…透光パネル、８…蓋体
【図１】
2004127891.tif 000003
【図２】
2004127891.tif 000004
【図３】
2004127891.tif 000005
(57)【要約】【課題】バランサ１０へ取り付けたアース端子ねじ１１を利用しアース接続が可能となる器具を提供する。【解決手段】電源コード６０を介して水平に吊り下げる器具本体３０を備える。前記器具本体３０の外部に配置する蛍光ランプ５０を備える。前記器具本体３０の内部に配置する点灯用回路基盤装置２０とバランサ１０を備える。前記バランサ１０は前記器具本体３０を水平姿勢に保持するための重石である。前記器具本体３０は板面に絶縁性塗装皮膜が施された金属板製である。前記バランサ１０は表面に絶縁性塗装皮膜が施されていない金属製である。前記器具本体３０・バランサ１０間を止めねじ１３を介して電気的に接続する。前記バランサ１０の一部を前記器具本体３０に形成した小孔３１を介して露出させる。前記バランサ１０における前記露出箇所にアース端子を接続するためのアース端子ねじ１１を取付ける。【選択図】　　図１
2004127896.tif 000002
【特許請求の範囲】
【請求項１】
電源コードを介して水平に吊り下げる器具本体を備え、前記器具本体の外部に配置する蛍光ランプを備え、前記器具本体の内部に配置する点灯用回路基盤装置とバランサを備え、前記バランサは前記器具本体を水平姿勢に保持するための重石であり、
前記器具本体は板面に絶縁性塗装皮膜が施された金属板製であり、前記バランサは表面に絶縁性塗装皮膜が施されていない金属製であり、前記器具本体・バランサ間を止めねじを介して電気的に接続し、前記バランサの一部を前記器具本体に形成した小孔を介して露出させ、前記バランサにおける前記露出箇所にアース端子を接続するためのアース端子ねじを取付けたことを特徴とする吊下げ形蛍光灯器具。
【発明の詳細な説明】
【０００１】
【発明の属する技術分野】
本発明は吊下げ形蛍光灯器具のアース端子構造に関する。
【０００２】
【従来の技術】
従来の技術では、絶縁性塗装皮膜が施された金属板製器具本体のアース端子ねじ取付部の塗膜を削り、前記ねじ首下でアース接続をしていた。
【０００３】
【発明が解決しようとする課題】
従来技術では絶縁性塗装皮膜が施された金属板製器具本体へのアース接続には塗膜削りを行う必要があつた。
発明は、上記器具本体に電気的に接続されている、絶縁性塗装皮膜が施されていねい金属板製バランサにアース端子ねじを取り付けることのみにより、前記ねじを利用し容易にアース接続が可能となる器具を提供することを目的とするものである。
【０００４】
【課題を解決するための手段】
上記目的を達成するために、絶縁性塗装皮膜が施された金属板製器具本体内部に、取付穴を削り込み取り付けが可能な止めねじにより電気的に接続し取り付けている絶縁性塗装皮膜が施されていない金属板製のバランサに、アース端子ねじを取り付けることによりアース接続を可能としている。
また、アース端子ねじは、器具本体の小孔を介して器具本体外面に露出しており、器具外部からのアース接続が容易となる。
【０００５】
【発明の実施の形態】
図１〜図５を用いて本発明の実施形態について説明する。図４は従来例であるが、比較参照のためにこれも用いる。吊下げ形蛍光灯器具は、器具本体３０の内部に点灯用回路基盤装置２０を内蔵しているが、インバータ式の点灯用回路については、前記基盤に組み込む部品点数も多くまた、各部品の配置も複雑な為、点灯用回路基盤装置２０のみを組み込んだ器具本体３０を電源コード６０で吊下げた場合、重心がずれ、器具本体３０が傾いた状態となる。この為、器具本体内部に点灯用回路基盤装置２０の他に重りの役目をはたすバランサ１０を組み込み、重心をあわせ器具を水平に保つている。
図１は本発明に係るバランサ１０の詳細図を示しているが、バランサ１０は絶縁性塗装皮膜が施されていない充分な板厚を持った金属板製であり、アース端子ねじ取付穴１４および固定穴１５を備えており、止めねじ１３により器具本体３０に取り付けられ、アース端子ねじ１１を含め構成される。また、絶縁性塗装皮膜が施された金属板製の器具本体３０には、バランサ１０を取付時にアース端子ねじ取付穴１４を露出させる小孔３１および取付穴３３が備えられる。
バランサ１０を器具本体３０に取り付ける止めねじ１３は、器具本体３０にあるねじの径より小さな穴径の取付穴３３を削りながらねじ込めるねじであり、アース端子ねじ１１は取付穴への削り効果の無いねじであり、あらかじめねじの溝を持つアース端子ねじ取付穴１４に取り付けられるねじである。アース端子ねじ１１の使用には、取付穴にねじの溝を確保する為、金属板厚を厚くとる等の必要があり、図４に示すように従来は器具本体３０の金属板厚を厚くとり、アース端子ねじ１１の取付部の塗膜を削る方式をとっていた。
本発明によれば、バランサ１０は図１・図２に示すように、止めねじ１３にて器具本体３０の取付穴３３を削るように取り付けられる為、器具本体３０と電気的に接続される。次に、器具本体３０に電気的に接続し取り付けられたバランサ１０の器具本体３０の小孔３１を介して露出されたアース端子ねじ取付穴１４にアース端子ねじ１１を取り付けることのみにより、アース端子ねじ１１を利用しアース接続が可能となる。
また、図３に示すように、バランサ１０にアース端子ねじ１１をあらかじめ取り付けておくことにより、止めねじ１３にてバランサ１０を器具本体３０に取り付ける際に、アース端子ねじ頭部１２が器具本体３０の小孔側面３２に当たる範囲内でバランサ１０の回転防止効果が得られる。
【０００６】
【発明の効果】
本発明によれば、バランサへ取り付けたアース端子ねじを利用しアース接続が可能となる。
【図面の簡単な説明】
【図１】本発明に係るバランサの詳細図である。
【図２】そのバランサ取付部断面図である。
【図３】そのバランサ取付部のＡ矢視図である。
【図４】従来のアース接続断面図である。
【図５】本発明に係る吊下げ形蛍光灯器具全体の斜視図である。
【符号の説明】
１０：バランサ、１１：アース端子ねじ、１２：アース端子ねじ頭部、１３：止めねじ、１４：アース端子ねじ取付穴、１５：固定穴、２０：点灯用回路基盤装置、３０：器具本体、３１：小孔、３２：小孔側面、３３：取付穴、４０：反射板、５０：蛍光ランプ、６０：電源コード、７０：セード、８０：天井
【図１】
2004127896.tif 000003
【図２】
2004127896.tif 000004
【図３】
2004127896.tif 000005
【図４】
2004127896.tif 000006
【図５】
2004127896.tif 000007
(57)【要約】【課題】ルーバ３０を着脱する必要がないので蛍光ランプ２０の交換作業が簡単にできる器具を提供する。【解決手段】器具本体１０を備える。前記器具本体１０の下面側に着脱自在に配置する複数の蛍光ランプ２０を備える。前記各蛍光ランプ２０の下面側に配置するルーバ３０を備える。前記ルーバ３０の中央部を垂直軸回りに回動自在に蝶着する蝶着機構４０を備える。前記各蛍光ランプ２０の配置およびルーバ３０の位置を常用モードでは前記蛍光ランプ２０の直下に位置し、かつ前記ルーバ３０を常用モードから回動させたランプ交換モードでは前記蛍光ランプ２０の直下から退避した位置に留まるように定める。【選択図】　　図１
2004127892.tif 000002
【特許請求の範囲】
【請求項１】
器具本体１０を備え、前記器具本体１０の下面側に着脱自在に配置する複数の蛍光ランプ２０を備え、前記各蛍光ランプ２０の下面側に配置するルーバ３０を備え、前記ルーバ３０の中央部を垂直軸回りに回動自在に蝶着する蝶着機構４０を備え、前記各蛍光ランプ２０の配置およびルーバ３０の位置を常用モードでは前記蛍光ランプ２０の直下に位置し、かつ前記ルーバ３０を常用モードから回動させたランプ交換モードでは前記蛍光ランプ２０の直下から退避した位置に留まるように定めたことを特徴とするルーバ付蛍光灯器具。
【発明の詳細な説明】
【０００１】
【発明の属する技術分野】
本発明は、ルーバ付蛍光灯器具のルーバの取付方法に関する。
【０００２】
【従来の技術】
従来技術のルーバ取付方法は、止ネジで本体や反射板に固定したり本体に固定された受金具に係合させて固定したりしている。この為、蛍光ランプを交換する場合は、邪魔になるのでルーバを外した後、蛍光ランプの交換を行い再びルーバを本体や反射板に取り付ける必要があり蛍光ランプ交換時の作業性が悪かつた。
【０００３】
【発明が解決しようとする課題】
本発明の目的は、前記従来技術の問題となっていた問題点を解決した器具を提供することにある。
【０００４】
【課題を解決するための手段】
上記目的を解決するため、ルーバの固定方法を止ネジや受金具に代わる方法として、ルーバの中央部を垂直軸回りに回動自在に蝶着する蝶着機構を設けたものである。
【０００５】
【発明の実施の形態】
本発明の実施例は、図１、図２に示すように本体１０、反射板５０、蛍光ランプ２０、ルーバ３０・３０を反射板５０に回動自在に煤着する蝶着機構４０により構成しており、蛍光ランプ２０は反射板５０の凹部５２にランプソケット２２により追い回し配置で取付ている。
又、ルーバ３０は蛍光ランプ２０を直交する姿勢で配置している。実際の蛍光ランプ２０の交換方法は、蛍光ランプ２０に直交するルーバ３０を蛍光ランプ２０の直交する位置から待避した位置（矢印の位置）に国動させた後、交換作業を行いルーバ３０を元の位置に戻すことで完了する。
【０００６】
【発明の効果】
本発明によれば、ルーバ（３０）を着脱する必要がないので蛍光ランプ（２０）の交換作業が簡単にできる他、止ネジや受金具が不要なので意匠面での問題も解決できる。
【図面の簡単な説明】
【図１】本発明器具の正面断面図である。
【図２】その下面図である。
【符号の説明】
１０；本体
１２；点灯装置
２０；蛍光ランプ
２２；ランプソケット
３０；ルーバ
４０；蝶着機構
５０；反射板
５２；凹部
【図１】
2004127892.tif 000003
【図２】
2004127892.tif 000004
(57)【要約】【課題】片口金形蛍光ランプ２１・２２・２３・２４を使用した直付形照明器具において、器具取付近傍の天井面を照射することにより天井面１が明るくなり快適な環境を得る。【解決手段】器具本体１０を備える。前記器具本体１０の下面側に配置する着脱自在に都合４本の片口金形蛍光ランプ２１・２２・２３・２４を備える。前記配置を前記各片口金形蛍光ランプ２１・２２・２３・２４の先端部２０Ａが隣接する他の前記各片口金形蛍光ランプ２２・２３・２４・２１のランプソケット２０Ｂの背面近傍に位置し全体が口字形を呈するように定める。前記器具本体１０に前記各片口金形蛍光ランプ２１・２２・２３・２４の光を上向きに照射する多数の透光窓１９を形成する。前記各片口金形蛍光ランプ２１・２２・２３・２４の前記各先端部２０Ａに対向する透光窓１９があるように前記各透光窓１９の配置を定める。【選択図】　　図１
2004127895.tif 000002
【特許請求の範囲】
【請求項１】
器具本体１０を備え、前記器具本体１０の下面側に配置する着脱自在に都合４本の片口金形蛍光ランプ２１・２２・２３・２４を備え、前記配置を前記各片口金形蛍光ランプ２１・２２・２３・２４の先端部２０Ａが隣接する他の前記各片口金形蛍光ランプ２２・２３・２４・２１のランプソケット２０Ｂの背面近傍に位置し全体が口字形を呈するように定め、前記器具本体１０に前記各片口金形蛍光ランプ２１・２２・２３・２４の光を上向きに照射する多数の透光窓１９を形成し、前記各片口金形蛍光ランプ２１・２２・２３・２４の前記各先端部２０Ａに対向する透光窓１９があるように前記各透光窓１９の配置を定めたことを特徴とする蛍光灯器具。
【発明の詳細な説明】
【０００１】
【発明の属する技術分野】
本発明は蛍光灯器具の構造に関し、天井面を照射する透光窓と片口金形蛍光ランプの位置関係において天井面を均一に照射するように片口金形蛍光ランプを配置しかつ、透光窓と片口金形蛍光ランプの先端部が対向するように配置することによって片口金形蛍光ランプの光束が最大となるように配置することを目的とした蛍光灯照明器具の構造。
【０００２】
【従来の技術】
従来品は透光窓の強度を優先したため、必ずしも透光窓と片口金形蛍光ランプの先端部が対向するような位置関係にはなかった。
【０００３】
【発明が解決しようとする課題】
本発明の目的は直付形照明器具において、天井面が暗くなるのを防止する為に照明器具全周に複数の透光窓を設け、天井面を均一に照射する為に片口金形蛍光ランプを口の字形に配置し、片口金形蛍光ランプと対向するように透光窓を配置することにより可能である。
【０００４】
【課題を解決するための手段】
上記目的を達成する為には、直付形照明器具において、天井面が暗くなるのを防止する為に照明器具全周に複数の透光窓を設け、天井面を均一に照射する為に片口金形蛍光ランプのランプソケット背面近傍に片口金形蛍光ランプの先端部が位置するように口の字形に配置し、片口金形蛍光ランプの最零点である先端部が透光窓と対向するよう配置することにより片口金形蛍光ランプの最零点が得られ光出力が最大となり、さらに片口金形蛍光ランプのランプソケット背面近傍に片口金形蛍光ランプの先端部が位置することにより目的は達成される。
【０００５】
【発明の実施の形態】
図１〜図３を用いて本発明の実施形態について説明する。図１及び図２において、複数の透光窓１９有する器具本体１０と点灯装置のカバーと反射板を兼ねた反射板３０に片口金形蛍光ランプの先端部２０Ａを有する片口金形蛍光ランプ２１・２２・２３・２４を口の字形に配置し、片口金形蛍光ランプ２１・２２・２３・２４を保持するランプソケット２０Ｂから構成された蛍光灯器具の構造において、２０Ａの片口金形蛍光ランプ先端部は、２１・２２・２３・２４の片口金形蛍光ランプ用ランプソケット２０Ｂの背面近傍に位置し全体が口の字形を形成するように定めかつ、１０の器具本体に設けた複数の透光窓１９と対向するように１９の透光窓の配置を定めることにより、天井面１を均一に照射することが可能である。又、片口金形蛍光ランプの先端部２０Ａが器具本体１０に設けた複数の透光窓１９と対向するように配置されていることにより、片口金形蛍光ランプ２１・２２・２３・２４の最零点が得られ光出力が最大となり、天井面が暗くなるのを防止できかつ器具効率をあげられる効果がある。
【０００６】
【発明の効果】
本発明によればけ片口金形蛍光ランプを使用した直付形照明器具において、器具取付近傍の天井面を照射することにより天井面が明るくなり快適な環境を得ることができる。
【図面の簡単な説明】
【図１】本発明に係る蛍光灯器具の斜視図である。
【図２】本発明に係る器具の平面図である。
【図３】本発明に係るＡ−Ａ‘断面図である。
【符号の説明】
１：天井面、１０：器具本体、１９：透光窓、２０Ａ：片口金形蛍光ランプ先端部、２ＯＢ：ランプソケット、２１、２２、２３、２４：片口金形蛍光ランプ、３０：反射板
【図１】
2004127895.tif 000003
【図２】
2004127895.tif 000004
【図３】
2004127895.tif 000005
(57)【要約】【課題】現存する医薬業向けクライアント・サーバーシステムは、一つのサーバーシステムに対して、ある程度固定化されたクライアントシステムが利用されている。すなわち、異なるシステム間での情報交換業務が煩雑なのである。【解決手段】サーバーシステム側に搭載した投薬情報データーベースを公開することにより、クライアント側システムの自由度を向上させる。その結果、異なるクライアントシステムから、一元化された投薬情報データーベースをネットワークを介し利用することが可能となり、安価に正確かつ迅速な業務が実現できるのである。例えば、調剤薬局で投薬情報データーベースサービスシステムを利用すると、患者は、かかりつけ薬局を複数店舗自由に利用できるのである。つまり、複数の医療機関を利用することが容易になるのである。【選択図】図１
2004127213.tif 000002
【特許請求の範囲】
【請求項１】
任意のクライアントシステムからサーバーシステム側の投薬情報データーベースのデーターを参照、追加、更新する機能。
【発明の詳細な説明】
【０００１】
【発明の属する技術分野】本発明は、主に医薬業界において投与された薬歴情報等を認識する必要性が業務上発生した時、これらの情報を一元管理しておき、ネットワークを介し参照し追加し更新することを可能とするためのシステムサービスに関する。
【０００２】
【従来の技術】従来の医薬業向けクライアント・サーバーシステムは、一対の組合せによるシステムである。つまり、サーバー側のシステムを利用する際、クライアント側のシステムはある程度固定化されているのである。（例えば、特許文献１参照）
【特許文献１】特開２０００−１６３４９８号公報
【０００３】
【発明が解決しようとする課題】サーバーシステム側の投薬情報データーベースシステムを利用できるクライアント側のシステムを任意にすること。
【０００４】
【課題を解決するための手段】サーバーシステム側の投薬情報データーベースを公開することにより、任意のクライアントシステムからネットワークを介し、サーバー側投薬情報データーベースのデーターを参照・追加・更新することを可能とする。
【０００５】
【発明の実施の形態】図１のように、サーバーシステム側にデーターベースシステムを搭載し、そのデーターベースシステム内に個人情報、薬歴情報、薬剤情報等を逐次蓄積する。蓄積する手段は、ネットワークを介し会員となったクライアントシステム及びサーバーシステムにて行う。そして、この蓄積された投薬情報を課金対象となった会員が任意にクライアントシステム側から参照・追加・更新する。
【０００６】
【発明の効果】現存するクライアントシステムを有効利用し、一元化された投薬情報データーベースを利用可能とすることにより、安価に信頼性の高い投薬、医療、管理業務を実施することが可能となる。また、クライアントシステムが任意になることにより、クライアント側システム構築の自由度が向上し、ソフトウェア市場の更に革新的なシステム構築に拍車を掛けることが期待される。
【図面の簡単な説明】
【図１】システム全体図
【図１】
2004127213.tif 000003
(57)【要約】【課題】自動車の走行中、コンピュータの認識しやすいビット表現の標識を、コンピュータによる標識の自動認識を行うことにより、ドライバーの運転支援や道路の維持管理のための標識自動認識システムを提供する。【解決手段】車内にカメラ（１）を搭載し、道路に設けられた形状を統一したビット表現による標識（２）の画像をカメラ（１）によりデジタル情報として取り込み、コンピュータ（３）により標識（２）を識別する。【選択図】　　図２
2004127212.tif 000002
【特許請求の範囲】
【請求項１】
車内にカメラ（１）を搭載し、道路上にビットタイプの道路標識（２）を設置し、カメラの画像をデジタル情報として取り込み、コンピュータ（３）により標識の内容を識別する車載カメラによる標識自動認識システム。
【発明の詳細な説明】
【０００１】
【発明の属する技術分野】
この発明は、コンピュータが自動的に道路標識を認識する道路標識自動認識システムに関するものである。
【０００２】
【従来の技術】
従来より道路標識は、自動車の走行の安全性かつ円滑性を欠くことのできない重要な施設であり、「道路標識、区画線及び道路標識に関する命令」によって、道路標識の種類、様式、設置場所等が規定され、ドライバーにとって認識されやすいように設けられているが、ドライバーがすべての道路標識を認識する必要がある。
【０００３】
【発明が解決しようとする課題】
これは次のような欠点があった。
イ．ドライバーの道路標識の見落としにより、交通の安全性を損なう恐れがある。
ロ．道路標識をコンピュータに認識させようとした場合、現行の道路標識だと、数種類の形状・複雑なデザインにより認識を困難にさせている。
本発明は、以上の欠点を解決するためになされたものである。
【０００４】
【課題を解決するための手段】
車内にカメラ（１）を搭載する。道路に設けられた形状を統一したビット表現による標識（２）の画像をカメラ（１）によりデジタル情報として取り込み、コンピュータ（３）により標識（２）を識別する。
本発明は、以上の構成よりなる道路標識自動認識システムである。
【０００５】
【発明の実施の形態】
以下、本発明の実施の形態を説明する。
（イ）道路にコンピュータが認識しやすい道路標識（２）を設ける。
（ロ）車内にカメラ（１）を設置する。
（ハ）カメラ（１）により前方の風景をデジタル画像として取り込む。
（ニ）道路標識の内容を認識するコンピュータ（３）により、道路標識の内容を認識する。
本発明は、以上の構成により成り立っている。
本発明は以上のような構成で実施させるときは、次のようなプロセスで実行される。
コンピュータが認識しやすい形状を統一したビット表現の標識（２）を、車内に搭載されているカメラ（１）によって、デジタル画像としてコンピュータ（３）に取り込み、風景の中から標識（２）を認識し、どんな内容なのかを判別する。
【０００６】
【発明の効果】
ドライバーに代わって、コンピュータが道路標識を自動認識し、それを車載のディスプレイに出力することにより、ドライバーの運転支援として、道路標識の見落としによる交通の危険性を防ぐことができる。また、道路の除雪、清掃などの維持管理の自動化システムの応用が可能である。
【図面の簡単な説明】
【図１】本発明に用いる８ビットの道路標識の例
【図２】本発明の使用時のモデル
【図３】本発明のプログラムのフローチャート
【符号の説明】
１　カメラ
２　標識
３　コンピュータ
【図１】
2004127212.tif 000003
【図２】
2004127212.tif 000004
【図３】
2004127212.tif 000005
(57)【要約】　　　（修正有）【課題】テレビドラマに連動して、メールを使い効果的に付加情報を与える。【解決手段】インターネットのメールとテレビドラマを連動させ、視聴者へドラマの登場人物からのメールとして、ストーリーに関連した情報を配信する。メール配信スケジュールは登録した視聴者の性別や年齢などの個人属性により、データベースに登録された内容を選択して配信する。また、ドラマの展開に合わせて時期を自動化する。メールに組み込まれた商品やサービスを広告として扱うこともできる。【選択図】図１
2004127226.tif 000002
【特許請求の範囲】
【請求項１】
テレビで放映されているドラマと連動して、テレビでは放映できないストーリーを放映期間およびその前後の期間、ドラマの「登場人物」からのメールとして視聴者へインターネット網を通じストーリー展開を配信する方法とそのドラマの展開手法
【発明の詳細な説明】
【０００１】
【発明の属する技術分野】
本発明は、ドラマのストーリー展開をテレビドラマと連動して配信されるインターネット網のメールの送信方法とドラマの展開手法に関するものである。
【０００２】
【従来の技術】
従来、テレビドラマ（連続ドラマ）は、１回の放映またはある間隔を持って配信されるものであった。
【０００３】
【発明が解決しようとする課題】
しかしこの方法では、視聴者はテレビドラマの放映日以外、そのストーリー展開に触れることができず、ストーリーを連続的に知りたいという欲求に答えることができなかった。
【０００４】
【問題を解決するための手段】
そこで本発明は、インターネット網のメールを利用し、ドラマの放映時間以外でも視聴者に自然な形でストーリーを伝える手段と方法を提供する。
【０００５】
【発明の実施の形態】
事前、またはドラマの放映途中に視聴者がインターネット網を通じてデータベースに登録したメールアドレスに対して、ドラマのストーリーに連動して、視聴者にメールを配信する。例えば登場人物の一人から主人公の行動を観察した内容をその「登場人物」からのメールとして、配信する。このメールの配信スケジュールはドラマの放映中でもいいが、ドラマの放映と放映の間に流してもよい。これはドラマに対して大きな付加価値である。メールの配信スケジュールは登録した視聴者の性別や年齢などの個人属性により、そして配信時期はドラマの展開にあわせたデータベースに登録された内容と時期で自動化される。
【０００６】発明の効果
以上のように本発明は、今までテレビドラマの放映時間内で伝えることができなかった内容を、視聴者の属性別に配信できる。また、視聴者の属性によりいろいろな角度から見たストーリー展開を配信できるので、今までできなかった自然な形でのストーリーのバリエーションが生まれる。メールに組み込まれた商品やサービスを広告として扱うこともできるので、テレビドラマと連携した今までにない広告媒体も同時に確保できる。
【０００７】発明の実施例
ドラマの第１回が放映される１週間前から、登場人物（複数）から視聴者への「個人的な」メールとして、ドラマに関する情報を流す。例えば主人公が銀行の窓口の女性であれば、「今日、銀行にいったら素敵な女性がいて・・・・・云々」と、ドラマが始まる前に前振りが可能である。すなわち視聴者は、登場人物から見たストーリー展開を個人的なメールを通して知ることができる。ドラマがはじまると視聴者は「あのメールで受け取った情報の女性だ！」と気づき、よりドラマを深く理解し、興奮にも似た感動を味わえるだろう。また、次のドラマが放映される間に、メールを受信する視聴者だけが知ることのできるストーリーを展開する。例えば脇役から週の半ばにメールで「沖縄に遊びにきている」と連絡があると、実際次の放映でそのときに買ったお土産が映し出される。「宝捜し」的に楽しみも生まれる。ドラマの中でその登場人物がメールを送ると、その直後にテレビを見ている視聴者の携帯にメールが届くというような演出も可能である。凝った演出としては、脇役が東京ディズニーランドへ行き、「今、ＴＤＬにきているよ！」とメールを送れば、当然現地でそのメールを受け取る視聴者もいるだろうから、話題作りも可能だ。このようにして、メールの配信を特定の登場人物から「個人的」に受け取っている視聴者は、よりドラマを楽しむことができる。当然ドラマが終了したあとにも情報を流すことで、続編につなげることも可能である。
【図面の簡単な説明】
【図１】本発明の概念図である
【符号の説明】
▲１▼　視聴者　▲２▼　登録受付Ｗｅｂサイト　▲３▼　視聴者データベース
▲４▼　メール配信システム　▲５▼　ドラマの脚本
【図１】
2004127226.tif 000003
(57)【要約】　　　（修正有）【課題】現状のオーディションについてはコンテストや求人告知に対して応募された応募者の中から、求人条件に見合う者を見つけだすために、書類選考に残った求職者に対し、日時と場所を設定して面接を開催する方法があるが、面接場所までの距離の問題、面接のための経費のロスなど問題が多い。この一般の支持と企業側の格差を埋めることと窓口を広げより多くの応募者を公募することを課題とする。【解決手段】本システムは簡易な公募によりより多くの人材から一般の支持を主体とした人材を企業に紹介するシステムであって、紙媒体・インターネット・移動通信機を連動させることにより、より広い窓口から人材を募集し、集まった人材を希望する企業へのマッチングをさせる人材紹介システム。【選択図】　　図１
2004127225.tif 000002
【特許請求の範囲】
【請求項１】
紙媒体・インターネット・移動通信機を連動させ窓口の広いコンテストシステムとし集まった人材を希望する企業へのマッチングさせる人材紹介システム
【請求項２】
携帯電話端末のデジタルカメラを使いシステムへの写真登録をおこなうコンテスト登録システム。
【請求項３】
コンテスト参加の他同意者を必要とする企業へ紹介するマッチングシステム。
【発明の詳細な説明】
【０００１】
この発明はコンテスト形式で募集する事により、幅広い人材情報を確保できるシステムである。
【発明の属する技術分野】
このシステムは人材情報の確保をするシステムである。
【０００２】
【従来の技術】
従来、コンテストや求人告知に対して応募された応募者の中から、求人条件に見合う者を見つけだすために、例えば予め求人条件を告知しておき、この告知に対して求職者が自己紹介状や履歴書などを添えて応募し、まず書類選考で求人条件に見合う者とそうでない者をふるい分け、書類選考に残った求職者に対し、求人者が求職者の書類以外の人間性や雰囲気などを見るために、日時と場所を設定して面接を開催する。以下、こうした書類選考や面接を総称してコンテスト及びオーディションということとする。
【０００３】
【発明が解決しようとする課題】
しかしながら、従来のコンテスト・オーディションは、上記したように、コンテストや求人告知に応募した求職者が多い場合には、書類による一次選考、テストなどを行う二次選考、その他段階的に求職者を絞り込むための選考を要し、求人者側としてみれば、非常に手間と時間及び経費がかかっていた。また、従来のオーディション・コンテストは、面接時に、求職者の複数人を、ある指定した日時と場所に集める必要があり、また、求職者側としてみれば、場所が遠いなどの理由によって不利な状況となる場合もあった。また、日程の都合等により応募者の減少などのリスクを負うものである。また、一般人からのスカウトの場合時間と経費のロスが大きくあり必ずしも望む人材を得られるものではなかった。
【０００４】本発明は、上記の問題を解決するものであり、日時と場所とに囚われることなく求職者にとっては負担のない応募となり、募集側には時間・経費・場所に関係なく人材を選ぶ事ができるシステムである。
【０００４】
【課題を解決するための手段】
以上の課題を解決するために、請求項１は紙媒体・インターネット・移動通信機を連動させ窓口の広いコンテストシステムとし集まった人材を希望する企業へのマッチングさせる人材紹介システム
請求項２は携帯電話端末のデジタルカメラを使いシステムへの写真登録をおこなうコンテスト登録システム。
請求項３はコンテスト参加の他同意者を必要とする企業へ紹介するマッチングシステムである。
【０００５】
【発明の実施の形態】
本発明の請求項１にかかる紙媒体・インターネット・移動通信機を連動させることによりより広い窓口から人材の募集をする。公募するデータは請求項２で移動端末についているデジタルカメラを利用し応募者の写真を応募データに含むことができる。以上のようにして集めた情報をコンテストを行い上位入賞者を表彰する。また請求項３にかかる項目として、求職応募者については随時企業とのマッチングを行う。またコンテストで支持の高い人材の情報も提供する。
【０００６】
「実施形態の効果」
請求項１にかかる連動のシステムの効果にいままでの限られた地域・手段の応募者のみならず幅広い応募者を公募することができる。また請求項２により移動端末を使った写真での応募が可能となるため応募者は気軽に参加が可能となる。また請求項３により募集企業はより一般の支持率の高い人材にアプローチをする事が可能になるため企業は時間・予算を大幅に縮小することができる。
【０００７】
「他の実施形態」
現状のオーディションについてはコンテストや求人告知に対して応募された応募者の中から、求人条件に見合う者を見つけだすために、例えば予め求人条件を告知しておき、この告知に対して求職者が自己紹介状や履歴書などを添えて応募し、まず書類選考で求人条件に見合う者とそうでない者をふるい分け、書類選考に残った求職者に対し、求人者が求職者の書類以外の人間性や雰囲気などを見るために、日時と場所を設定して面接を開催する。または、企業側から
一般の人材にスカウトという形で路上やイベント会場などで無差別に声をかけ同意者について契約などの形をとる事が一般的であるがこの場合多くはスカウトする人間及びオーディション審査員の個人的主観が入ることが多く、必ずしも一般の支持とつながるものではなかった。
【０００８】
【発明の効果】
以上で説明したように本システムは簡易な公募によりより多くの人材から一般の支持を主体とした人材を企業に紹介するシステムである。
【図面の簡単な説明】
【図１】この発明の一実施形態を示す図である。
【符号の説明】
▲１▼〜▲５▼　情報の流れる順番を示す
←　情報の流れを示す
2004127225.tif 000003
【図１】
2004127225.tif 000004